(57)【要約】【課題】  円形の信号表示と、複雑な文字信号形状の表示とを可能とする表示装置を提供することを目的とする。【解決手段】  本発明は、外周が円形となるように複数の発光素子１３を配置すると共に、隣接する発光素子１３を縦横等間隔になるように面状に配置した発光素子ユニット１４を備える表示装置であって、発光素子ユニット１４は、文字記号形状を表す発光素子１３からなる情報表示ユニット１５と、該情報表示ユニット１５以外の前記発光素子１３からなる非情報表示ユニット１６とからなり、発光素子ユニット１４の全体を表示するときは、情報表示ユニット１５及び非情報表示ユニット１６とを点灯し、文字記号形状を表示するときは、情報表示ユニット１５を点灯、非情報表示ユニット１６を消灯することを特徴とする。【選択図】  図２
2007172185.tif 000002
【特許請求の範囲】
【請求項１】
外周が円形となるように複数の発光素子を配置すると共に、隣接する前記発光素子を縦横等間隔になるように面状に配置した発光素子ユニットを備える表示装置であって、
前記発光素子ユニットは、文字記号形状を表す前記発光素子からなる情報表示ユニットと、該情報表示ユニット以外の前記発光素子からなる非情報表示ユニットとからなり、
前記発光素子ユニットの全体を表示するときは、前記情報表示ユニット及び前記非情報表示ユニットとを点灯し、
前記文字記号形状を表示するときは、前記情報表示ユニットを点灯、前記非情報表示ユニットを消灯することを特徴とする表示装置。
【請求項２】
前記発光素子は、発光ダイオードであることを特徴とする請求項１の表示装置。
【発明の詳細な説明】
【技術分野】
【０００１】
本発明は、表示装置に関する。
【背景技術】
【０００２】
従来の交通信号機において、発光ダイオード１００を利用する場合は、図５に示すように、外周が円形の信号部１０１において、複数の発光ダイオード１００を、放射方向及び周方向に略一定間隔で配置して、外周を円形としている。また、図６には、このような発光ダイオード１００の配線回路を示し、商用電源を整流した直流電力が、図６のプラス、マイナス端子間に供給される。この配線回路は、直列接続された複数の発光ダイオード１００と、電流制限機能等のための抵抗Ｒとを直列接続した基本回路を複数並列接続している。
【０００３】
同様に、従来の表示装置（＝信号機）について、以下の特許文献１に開示がある。交通信号機における外周が円形の３色（青、黄、赤）の信号部において、一つの信号部（＝信号機モジュール）において、例えば、青信号の表示と、矢印の表示とを表示させる構成、方法が開示されている。この公報の図３、図１１に開示されるように、信号機モジュールは、複数の発光ダイオード１２を、放射方向及び周方向に略一定間隔で配置して、外周を円形としている。そして、複数の発光ダイオード１２において、右方を指示する矢印形状となるよう多数配置して第１のＬＥＤランプ群１３（矢印信号部）とし、第１のＬＥＤランプ群１３を包囲する円形面状となるよう多数配置して第２のＬＥＤランプ群１４としている。これにより、発光ダイオード１２全体が円形面状となり青色信号部１１を構成する。第１の発光駆動回路２１により第１のＬＥＤランプ群１３を発光駆動すると共に、第２の発光駆動回路２２により第１のＬＥＤランプ群１３及び第２のＬＥＤランプ群１４を同時に発光駆動する。以上の構成により、青色の信号部１１としての機能と、矢印表示としての機能とを、ひとつの信号部１１で果たしている。
【０００４】
これにより、第１及び第２の発光駆動回路２１及び２２を一般的な交通信号機の制御系に取付けるだけで、青色信号部１１及び矢印信号部の点灯制御が可能となる。
【特許文献１】特開平１０−２６１１９７号
【発明の開示】
【発明が解決しようとする課題】
【０００５】
上記の従来の信号部においては、発光ダイオード１２が放射方向及び周方向に略一定間隔で配置されているので、矢印形状上に位置する発光ダイオード１２である第１のＬＥＤランプ群１３（矢印信号部）を発光点灯させている。
【０００６】
しかしながら、矢印形状と比べて複雑な文字記号形状を表示しようとする場合、放射方向及び周方向に略一定間隔で配置された発光ダイオード１２は、このような複雑な文字記号形状上に、位置していない。よって、複雑な文字記号の形状を、放射方向及び周方向に略一定間隔で配置された発光ダイオード１２にて、点灯表示することは困難である。
【０００７】
本発明は、上述のような問題点を解決するために成されたものであり、
外周が円形になるように複数の発光素子を配置した発光素子ユニットにおいて、円形の信号表示と、矢印形状と比べて複雑な文字信号形状の表示も可能とする表示装置を提供することを目的とする。
【課題を解決するための手段】
【０００８】
本発明は、外周が円形となるように複数の発光素子を配置すると共に、隣接する前記発光素子を縦横等間隔になるように面状に配置した発光素子ユニットを備える表示装置であって、前記発光素子ユニットは、文字記号形状を表す前記発光素子からなる情報表示ユニットと、該情報表示ユニット以外の前記発光素子からなる非情報表示ユニットとからなり、  前記発光素子ユニットの全体を表示するときは、前記情報表示ユニット及び前記非情報表示ユニットとを点灯し、前記文字記号形状を表示するときは、前記情報表示ユニットを点灯、前記非情報表示ユニットを消灯することを特徴とする。また、前記発光素子は、発光ダイオードであることを特徴とする。
【発明の効果】
【０００９】
本発明においては、複数の発光素子を、外周が円形となるように配置すると共に、隣接する発光素子を縦横等間隔になるように面状に配置している。複数の発光素子が、縦横等間隔で配置、即ち、ドットマトリックス状に配置されているので、情報表示ユニットとして、種々の文字記号形状を表す発光素子からなる情報表示ユニットを点灯させ、文字記号形状を表示することが可能である。加えて、発光素子ユニット全体を点灯、消灯させることで、円形の表示として利用することもできる。
【発明を実施するための最良の形態】
【００１０】
本発明の実施例を、図を用いて、以下に詳細に説明する。図１は、本発明の表示装置を示し、３つの円形の表示部１０である発光素子ユニット１４を備え、交通信号機、或いは、施設への入場エリア付近に設置された表示装置等に利用した実施例を示している。
【００１１】
本実施例の表示装置は、表示本体１と、これの表示の制御を行う制御本体２とを備えている。制御本体２は、支柱３に固定されて、ボックス形状の外観を有し、ボックス内に、後述するように、電子回路等を収納している。表示本体１は、支柱３の上部に固定された矩形板状の表示板１２を備え、この表示板１２に、円形で面状の表示部１０、１０、１０を有している。図１においては、紙面左側より、青色に点灯する表示部１０、黄色に点灯する表示部１０、赤色に点灯する表示部１０が配置される。
【００１２】
各表示部１０の詳細については、図２にて説明する。表示部１０は、表示本体１の前面に設置され、外周が円形の基板１１上に、複数の発光ダイオードである発光素子１３が、外周が円形となるように配置され、基板１１の裏面にて電気配線（図示せず）されている。発光素子１３の発光ダイオードとしては、周知の砲弾型発光ダイオードが利用でき、各表示部１０の色に応じて、青色、黄色、赤色の発光ダイオードを利用する。
【００１３】
図示されるように、複数の発光素子１３は、外周が円形となるように配置すると共に、隣接する発光素子１３を縦横等間隔になるように面状に配置している。これら発光素子１３により、発光素子ユニット１４を形成している。このように、発光素子１３を縦横等間隔になるように配置することは、ドットマトリックス状の配置、または、テキスト表示可能な配置と、言うこともできる。
【００１４】
発光素子ユニット１４は、文字または記号形状を表す発光素子１３からなる情報表示ユニット１５と、該情報表示ユニット１５以外の発光素子１３からなる非情報表示ユニット１６とからなる。図２においては、情報表示ユニット１５の発光素子１３は、点灯した状態として、黒塗りで表されており、「停」の字の形状を表示している。文字記号形状を表示するときは、情報表示ユニット１５を点灯（図２において黒塗りで示す）、情報非表示ユニット１６を消灯（図２において白抜きで示す）することにより、図２であれば、情報表示ユニット１５の文字記号形状を表示することができる。また、発光素子ユニット１４の全体を表示するときは、情報表示ユニット１５及び非情報表示ユニット１６とを点灯する。
【００１５】
そして、例えば、図１の３つの表示部１０において、後述するように、停電時にバックアップ電源として、制御本体２より電力を供給して、情報表示ユニット１５の文字記号形状を左より、「停」「電」「中」と表示させることで、利用者は表示装置が停電中であることを理解できる。
【００１６】
また、これ以外にも、管理センター等の外部からの操作により、実施例の表示装置に指示を送信することで、「渋滞中」、「事故」、「火災」、「通行止」等の文字記号の情報を表示することができる。このような表示を行うことにより、別途これら情報を表示する表示装置を設置しなくても、本実施例の表示装置にて、多くの情報を提供することが可能となり、事故の低減、渋滞の緩和等に役立てることが可能である。
【００１７】
次に、図３、図４を用いて、本実施例の電気回路構成、動作等について説明する。図３は、表示部１０における発光素子１３の電気回路を示しており、直列接続された複数の発光素子１３と、電流制限機能等のための抵抗Ｒとを直列接続した基本回路を複数並列接続して、この両端に、直流電力を印加している。そして、基本回路を複数並行接続して、発光素子１３の情報表示ユニット１５と、非情報表示ユニット１６としている。そして、情報表示ユニット１５と、非情報表示ユニット１６とには、別々に、直流電力を印加して、各々、点灯制御できるような回路構成となっている。
【００１８】
図４に示すように、制御本体２は、商用電力を直流に変換するＡＣ／ＤＣコンバータ２１と、この出力を最適な直流電力として、表示部１０に供給するＤＣ／ＤＣコンバータ２２とを備えている。そして、ＤＣ／ＤＣコンバータ２２からの出力は、表示制御部２３を介して、３つの表示部１０の情報表示ユニット１５、非情報表示ユニット１６とに別々に供給される。
【００１９】
通常時においては、表示制御部２３の制御により、情報表示ユニット１５、非情報表示ユニット１６の両方に、直流電力が供給され、発光素子ユニット１４全体を表示して、表示部１０を円形に点灯する。赤青黄の交通信号機として利用するなら、所定の間隔で、赤、青、黄が点灯、消灯されるように、制御する。
【００２０】
更に、制御本体２は、以下のように、停電時に表示部１０に電力を供給するためのバックアップ機能を備えている。
【００２１】
ＡＣ／ＤＣコンバータ２１からの直流電力によりリチウムイオン電池等からなる二次電池３１を充電する充電回路３０と、二次電池３１の状態を監視し、二次電池３１のバックアップ機能を制御するためのマイコン等からなる制御部３２を備えている。
【００２２】
制御部３２は、二次電池３１の容量を監視して、容量が低下して所定の再充電容量となったとき、商用電力を供給源として充電回路３０を利用して二次電池３１の充電を行い、満充電を検出したら、充電回路３０を遮断して充電を停止する。その後、二次電池３１が自己放電、また、停電時のバックアップとして電力消費し、所定の再充電容量を低下すれば、上述のように、充電を行う。
【００２３】
また、商用電力の停電監視回路３３からの停電信号を得て、制御回路３２は、放電回路３４をオン状態として、停電時に、二次電池３１からの電力を、ＤＣ／ＤＣコンバータ２２へ供給することで、停電時に、表示制御部２３、表示部１０に電力を供給することができる。
【００２４】
以上の構成により、本実施例においては、停電時に商用電力が絶たれたとき、二次電池３１の電力を利用して、表示制御部２３を駆動して、表示部１０を点灯することができる。そして、本実施例においては、表示制御部２３が、情報表示ユニット１５に電力を供給して点灯し、情報非表示ユニット１６に電力を供給せず、消灯することにより、各表示部１０において、情報表示ユニット１５の文字記号形状である「停」「電」「中」を表示することができる。
【００２５】
更には、制御本体２の表示制御部２３に、以下の機能を持たせることもできる。まず、表示部１０を、既に公知技術であり、販売されている発光ダイオードのドットマトリックス・ディスプレイとし、表示制御部２３に、このようなディスプレイで所望の文字記号形状を表す発光ダイオードである情報表示ユニットを点灯、これ以外の非情報表示ユニットを消灯する制御機能を持たせる。更に、表示制御部２３に、管理センター等の外部からの操作情報を受信し、上記の所望の文字記号形状を表示させる。このような所望の文字記号形状としては、「渋滞中」とか、「事故」とか、「火災」、「通行止」等の文字記号の情報を表示することができる。  このような情報に、各表示部１０に一文字づつ表示してもよいし、一つの表示部１０に、時間の経過と共に、一文字づつ表示してもよい。このような表示を行うことにより、別途これら情報を表示する表示装置を設置しなくても、本実施例の表示装置にて、多くの情報を提供することが可能となる。
【００２６】
これにより、災害時等には文字、記号の情報により通行中の人たちに異常発生を通知し、二次災害の防止や混乱の発生を防止することができ、事故の低減や渋滞の緩和等に役立てることが可能である。
【図面の簡単な説明】
【００２７】
【図１】本発明の一実施例の表示装置を示す概略の斜視図である。
【図２】本発明の一実施例の表示装置における表示部（＝発光素子ユニット）を示す正面図である。
【図３】本発明の一実施例の表示装置における表示部の電気回路を示す図である。
【図４】本発明の一実施例の表示装置における電気回路のブロック図である。
【図５】従来例の信号部を示す正面図である。
【図６】従来例の信号部の電気回路である。
【符号の説明】
【００２８】
１  表示本体
２  制御本体
１３  発光素子
１４  発光素子ユニット
１５  情報表示ユニット
１６  非情報表示ユニット
【図１】
2007172185.tif 000003
【図２】
2007172185.tif 000004
【図３】
2007172185.tif 000005
【図４】
2007172185.tif 000006
【図５】
2007172185.tif 000007
【図６】
2007172185.tif 000008